(57)【要約】【課題】ＤＬＳ（Direct Link Protocol）を使用した１対１の通信におけるスループットを向上させる。【解決手段】デジタルカメラ２０３は、ＡＰ２０２を介して複数の外部装置とデータ通信が可能な第１の通信モードと、ＡＰ２０２を介さず、前記複数の外部装置のうちの何れか一つの外部装置と直接データ通信を行う第２の通信モードとを切り替えて通信を行う。第２のモードで前記外部装置とデータ通信が開始された場合、デジタルカメラ２０３は、前記複数の外部装置のうちの前記外部装置を除く他の外部装置に対して、前記外部装置が使用中である旨の通知信号を送信する。【選択図】図１
2008160186.tif 000002
【特許請求の範囲】
【請求項１】
中継装置を介して複数の外部装置とデータ通信が可能な第１の通信モードと、前記中継装置を介さず、前記複数の外部装置のうちの何れか一つの外部装置と直接データ通信を行う第２の通信モードとを切り替えて通信を行う通信手段と、
前記通信手段により前記第２のモードで前記外部装置とデータ通信が開始された場合、前記複数の外部装置のうちの前記外部装置を除く他の外部装置に対して、前記外部装置が使用中である旨の通知信号を送信する送信手段とを有することを特徴とする通信装置。
【請求項２】
前記送信手段は、前記第２のモードで前記外部装置とデータ通信が行われている間、そのデータ通信に係る進捗状況を通知するための通知信号を前記他の外部装置に送信することを特徴とする請求項１に記載の通信装置。
【請求項３】
前記送信手段は、前記第２のモードによる前記外部装置とのデータ通信が終了した場合、前記外部装置が使用可能である旨の通知信号を前記他の外部装置に送信することを特徴とする請求項１又は２に記載の通信装置。
【請求項４】
中継装置を介して複数の外部装置とデータ通信が可能な第１の通信モードと、前記中継装置を介さず、前記複数の外部装置のうちの何れか一つの外部装置と直接データ通信を行う第２の通信モードとを切り替えて通信を行う通信手段と、
前記複数の外部装置のうちの何れかの外部装置間において前記第２の通信モードによるデータ通信が行われた場合、それらの外部装置のうちの何れか一方の外部装置が使用中である旨の通知信号を受信する受信手段とを有することを特徴とする通信装置。
【請求項５】
前記受信手段により前記一方の外部装置が使用中である旨の通知信号を受信した場合、前記一方の外部装置の使用を選択できない状態にすることを特徴とする請求項４に記載の通信装置。
【請求項６】
前記受信手段は、前記第２のモードにより前記外部装置間でデータ通信が行われている間、そのデータ通信に係る進捗状況を通知するための通知信号を受信することを特徴とする請求項４又は５に記載の通信装置。
【請求項７】
前記受信手段により前記進捗状況を通知するための通知信号を受信した場合、前記進捗状況を出力する出力手段を更に有することを特徴とする請求項６に記載の通信装置。
【請求項８】
前記受信手段は、前記第２のモードによる前記外部装置間でのデータ通信が終了した場合、前記一方の外部装置が使用可能である旨の通知信号を受信することを特徴とする請求項４から７のいずれかに記載の通信装置。
【請求項９】
前記受信手段により前記一方の外部装置が使用可能である旨の通信信号を受信した場合、前記一方の外部装置の使用を選択できる状態にすることを特徴とする請求項８に記載の通信装置。
【発明の詳細な説明】
【技術分野】
【０００１】
本発明は、例えば、無線通信におけるスループットの向上を図るための技術に関する。
【背景技術】
【０００２】
近年、ＩＥＥＥ８０２．１１規格（例えば、ＩＥＥＥ８０２．１１ａ／ｂ／ｇ／ｅ）で規定された無線ＬＡＮが普及している。この無線ＬＡＮを用いることにより、高速性を備えた無線ネットワークを構築することが可能となっている。
【０００３】
無線ＬＡＮネットワークにおけるスループットを向上させる方法には、ＩＥＥＥ８０２．１１ｅ規格で規定されたＤＬＳ（Direct Link Protocol）を使用する方法と、ＤＬＳを使用しない方法がある。ＤＬＳを使用しないでスループットを向上させる方法については、例えば、特許文献１、２に記載されている。
【０００４】
【特許文献１】特開２００３−３４８１０３号公報
【特許文献２】特開２００５−０８６２３４号公報
【発明の開示】
【発明が解決しようとする課題】
【０００５】
ＤＬＳを使用してスループットを向上させる方法には、次のような問題点がある。
２つの無線ＬＡＮ端末がＤＬＳを使用して１対１の無線通信を行っている場合、それらの無線ＬＡＮ端末は、同一のアクセスポイント管理下にある他の無線ＬＡＮ端末との通信も可能である。そのため、プリントサービス等の１対１通信を前提としたサービスを行っている最中に、他の無線ＬＡＮ端末からの通信要求を受けてしまうと、当該サービスのスループットが低下する問題があった。
【０００６】
本発明は、このような問題点に鑑みてなされたものであり、例えば、ＤＬＳを使用した１対１の無線通信におけるスループットを向上させることを目的とする。
【課題を解決するための手段】
【０００７】
本発明に係る通信装置の一つは、例えば、中継装置を介して複数の外部装置とデータ通信が可能な第１の通信モードと、前記中継装置を介さず、前記複数の外部装置のうちの何れか一つの外部装置と直接データ通信を行う第２の通信モードとを切り替えて通信を行う通信手段と、前記通信手段により前記第２のモードで前記外部装置とデータ通信が開始された場合、前記複数の外部装置のうちの前記外部装置を除く他の外部装置に対して、前記外部装置が使用中である旨の通知信号を送信する送信手段とを有することを特徴とする。
本発明に係る通信装置の一つは、例えば、中継装置を介して複数の外部装置とデータ通信が可能な第１の通信モードと、前記中継装置を介さず、前記複数の外部装置のうちの何れか一つの外部装置と直接データ通信を行う第２の通信モードとを切り替えて通信を行う通信手段と、前記複数の外部装置のうちの何れかの外部装置間において前記第２の通信モードによるデータ通信が行われた場合、それらの外部装置のうちの何れか一方の外部装置が使用中である旨の通知信号を受信する受信手段とを有することを特徴とする。
【発明の効果】
【０００８】
本発明によれば、データ通信対象外の外部装置からのアクセスを防ぐことができ、例えばＤＬＳ機能を使用した１対１の通信におけるスループットを向上させることが可能となる。
【発明を実施するための最良の形態】
【０００９】
以下、本発明を適用した好適な実施形態を、添付図面を参照しながら説明する。
【００１０】
図１は、本発明の一実施形態に係る無線通信システムの構成の一例を概略的に示す図である。図１に示す無線通信システムは、ＩＥＥＥ８０２．１１規格に準拠したシステムである。図１に示す無線通信システムは、データ通信の中継装置である無線アクセスポイント装置２０２（以下、ＡＰ２０２）と、デジタルカメラ２０３、２０４と、プリンタ２０５、２０６とから構成されている。デジタルカメラ２０３、２０４及びプリンタ２０５、２０６はいずれも、インフラストラクチャモード（infrastructure mode）及びアドホックモード（ad hoc mode）を搭載している。図１に示す例では、デジタルカメラ２０３、２０４及びプリンタ２０５、２０６はいずれもインフラストラクチャモードであり、いずれもＡＰ２０２の管理下にある。
【００１１】
また、デジタルカメラ２０３、２０４及びプリンタ２０５、２０６はいずれも、ＩＥＥＥ８０２．１１ｅ規格に準拠した無線ＬＡＮ端末であり、ＩＥＥＥ８０２．１１ｅ規格で規定されたＤＬＳ（Direct Link Protocol）を搭載している。また、デジタルカメラ２０３、２０４は、画像送信装置として機能し、プリンタ２０５、２０６は、画像受信装置として機能する。デジタルカメラ２０３、２０４及びプリンタ２０５、２０６は、インフラストラクチャモード、アドホックモードの何れにおいても、画像データを含む各種のデータの送受信を行うことができるように構成されている。
【００１２】
図３は、ＤＬＳを使用したネットワーク構成の一例を示す図である。図３に示す例では、デジタルカメラ２０３及びプリンタ２０５の組（ペア）が、無線アドホックネットワーク３０１を構築する。
【００１３】
図２は、デジタルカメラ２０３、２０４の機能構成を示すブロック図である。図２を用いて、画像送信装置として機能するデジタルカメラについて説明する。
【００１４】
１０９は、撮像レンズであり、１１０は、絞り機能を備えるシャッタである。１０８は、撮像レンズ１０９を含む撮像部を覆うことにより、撮像部の汚れや破損を防止するバリアとして機能する保護部である。
【００１５】
１１１は、光学像を電気信号に変換する撮像素子を含む撮像システムである。撮像システム１１１は、撮像素子から出力されるアナログ信号をデジタル信号に変換するＡ／Ｄ変換器を含み、Ａ／Ｄ変換器からの出力信号に対して所定の画像補間処理、色変換処理及び演算処理等も行う。
【００１６】
１０２は、デジタルカメラのシステム全体の制御を行うシステム制御部である。システム制御部１０２は、撮像システム１１１による演算結果に基づいて、露光制御部１１３や測距制御部１１４に対して制御を行う。具体的には、ＴＴＬ（スルー・ザ・レンズ）方式処理、ＡＥ（オートフォーカス）処理、ＡＥ（自動露出）処理及びＥＦ（フラッシュプリ発光）処理等を行う。
【００１７】
１１２は、メモリ制御部であり、メモリ１０７に対する撮像システム１１１から出力された画像データの書き込み制御を行う。１０３は、圧縮伸長部であり、適応離散コサイン変換（ＡＤＣＴ）等により画像データを圧縮伸張する圧縮・伸長回路であり、メモリ１０７に格納された画像データを読み出して圧縮処理又は伸長処理を行い、処理を終えた画像データを再度メモリ１０７に書き込む。
【００１８】
１０６は、ネットワーク接続用Ｉ／Ｆであり、外部機器との無線ネットワーク接続を制御する。
【００１９】
１１３は、絞り機能を備えるシャッタ１１０を制御する露光制御部であり、フラッシュ部１１７と連携することによりフラッシュ調光機能も有するものである。１１４は、撮像レンズ１０９のフォーカシングを制御する測距制御部である。露光制御部１１３及び測距制御部１１４は、ＴＴＬ方式を用いて制御されており、撮像した画像データを撮像システム１１１によって演算された演算結果に基づき、システム制御部１０２が露光制御部１１３及び測距制御部１１４に対して制御を行う。
【００２０】
１１５は、撮像レンズ１０９のズーミングを制御するズーム制御部である。１１６は、バリアである保護部１０８の動作を制御するバリア制御部である。１１７は、フラッシュ部であり、キセノン管による発光部とコンデンサによる充電部と構成されており、充電電圧検出機能、ＡＦ補助光の投光機能、フラッシュ調光機能等を有している。
【００２１】
１１９は、電源制御部であり、電池検出回路、ＤＣ−ＤＣコンバータ、通電するブロックを切り替えるスイッチ回路等により構成されている。電源制御部１１９は、電池の装着の有無、電池の種類、電池残量の検出を行い、検出結果及びシステム制御部１０２の指示に基づいてＤＣ−ＤＣコンバータを制御し、必要な電圧を必要な期間、記録媒体１２３、１２４を含む各部へ供給する。
【００２２】
１２５は、第１の内部コネクタであり、１２６は、第１の外部コネクタである。１１８は、アルカリ電池やリチウム電池等の一次電池やＢＮｉＣｄ電池やＮｉＭＨ電池、Ｌｉ電池等の二次電池、ＡＣアダプタ等からなる電源部である。
【００２３】
１２７及び１２８は、メモリカードやハードディスク等の記録媒体１２３、１２４との第１のインタフェース及び第２のインタフェースである。１２９及び１３０は記録媒体１２３、１２４と接続を行う第２の内部コネクタ及び第３の内部コネクタである。
【００２４】
１２３は、メモリカードやハードディスク等の第１の記録媒体である。第１の記録媒体１０４は、半導体メモリや磁気ディスク等から構成される第１の記録部１０４と、デジタルカメラとのインタフェース１３３と、デジタルカメラと接続を行う第２の外部コネクタ１３１とを備えている。
【００２５】
１２４は、メモリカードやハードディスク等の第２の記録媒体である。第２の記録媒体１０５は、半導体メモリや磁気ディスク等から構成される第２の記録部１０５と、デジタルカメラとのインタフェース１３４と、デジタルカメラと接続を行う第３の外部コネクタ１３２とを備えている。
【００２６】
１２０は、システム制御部１０２の動作用の定数、変数、プログラム等を記憶するメモリである。メモリ１２０は、更に、ＡＥで用いるプログラム線図も格納している。プログラム線図は、露出値に対する絞り開口径とシャッタ速度の制御値との関係を定義したテーブルである。
【００２７】
１２１は、システム制御部１０２でのプログラムの実行に応じて、文字、画像、音声等を用いて動作状態やメッセージ等を表示する液晶表示装置、スピーカ等の表示部である。表示部１２１は、デジタルカメラの操作部近辺の視認し易い位置に単数又は複数箇所設置され、例えばＬＣＤやＬＥＤ、発音素子等の組合せにより構成されている。また、表示部１２１は、その一部の機能が光学ファインダ（不図示）内に設置されている。
【００２８】
表示部１２１の表示内容のうち、ＬＣＤ等に表示するものとしては、シングルショット／連写撮影表示、セルフタイマ表示、圧縮率表示、記録画素数表示、記録枚数表示、残撮影可能枚数表示、マクロ撮影表示、ブザー設定表示がある。その他に、時計用電池残量表示、電池残量表示、エラー表示、複数桁の数字による情報表示、記録媒体１２３、１２４の着脱状態表示、通信Ｉ／Ｆ動作表示、日付・時刻表示等もある。
【００２９】
また、表示部１２１の表示内容のうち、光学ファインダ内に表示するものとしては、合焦表示、手振れ警告表示、フラッシュ充電表示、シャッタスピード表示、絞り値表示、露出補正表示等がある。
【００３０】
１２２は、電気的に消去・記録可能な不揮発性メモリであり、例えばＥＥＰＲＯＭ等が用いられる。
【００３１】
１０１は、シャッタスイッチであり、不図示のシャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３２】
また、シャッタスイッチは、シャッタボタンの操作完了でＯＮとなる。シャッタスイッチは、撮像システム１１１内において、撮像素子から読み出した信号をＡ／Ｄ変換器及びメモリ制御回路を介してメモリ１０７に画像データを書き込む露光処理、画像処理回路やメモリ制御回路での演算を用いた現像処理、メモリ１０７から画像データを読み出し、圧縮伸長回路１０３で圧縮を行い、記録媒体１２３、１２４に画像データを書き込む記録処理という一連の処理の動作開始を指示する。
【００３３】
デジタルカメラ２０３、２０４は、シャッタスイッチ１０１が押下されると、本撮影動作が開始され、押下時点の画像データが撮影画像として取得される。取得された画像データは、圧縮伸長部１０３によって所定の形式で圧縮された後、記録部１０４、１０５に格納される。
【００３４】
また、デジタルカメラ２０３、２０４は、システム制御部１０２によって画像処理されて記録部１０４、１０５に格納された画像データ、又は、記録部１０４、１０５に書き込まれる前のメモリ１０７上にある画像データを他の機器に送信することが可能である。他の機器に画像データを送信する際には、無線ＬＡＮモジュールであるネットワーク接続用インタフェース１０６から画像データがネットワークを介して送信される。
【００３５】
以下では、デジタルカメラ２０３、２０４がネットワーク接続用インタフェース１０６を使用し、ＤＬＳを使用して記録部１０４、１０５から画像データをプリンタ２０５、２０６に対して送信する場合における通信プロトコルについて説明する。
【００３６】
本実施形態におけるデジタルカメラ２０３、２０４の処理手順を図４に示し、デジタルカメラ２０３、２０４及びプリンタ２０５、２０６で構成される画像通信システム全体の処理手順を図５に示す。
【００３７】
図３に示すシステム構成である場合、デジタルカメラ２０３、２０４の双方からプリンタ２０５、２０６に対して印刷要求が起こる可能性がある。例えば、デジタルカメラ２０３とプリンタ２０５とがＰＴＰ／ＩＰを用いてプリントサービスを行っている場合でも、プリンタ２０５に対してデジタルカメラ２０４から印刷要求が起こる可能性もある。なお、ＰＴＰ／ＩＰは、Picture Transfer Protocol over Internet Protocolの略称である。
【００３８】
デジタルカメラ２０３、２０４は、インフラストラクチャモードで無線接続中において（Ｓ４０１）、印刷要求を行う場合、まずＤｉｓｃｏｖｅｒｙと呼ばれる信号をマルチキャスト送信し（Ｓ４０２、５０１）、プリンタ２０５、２０６の検索を行う。検索されたプリンタ２０５、２０６は、印刷可能であればＩｄｌｅ信号をユニキャスト送信で返信する（５０２）。
【００３９】
デジタルカメラ２０３、２０４は、上記Ｉｄｌｅ信号を受信したか否かを判定する（Ｓ４０３）。デジタルカメラ２０３、２０４は、Ｉｄｌｅ信号を受信すると、図６に示すように、自ら備える表示部上において、Ｉｄｌｅ信号を返信してきたプリンタ２０５、２０６を識別可能な名前６０１及びサービス名６０２を表示する（Ｓ４０４、５０３）。一方、Ｉｄｌｅ信号を受信していない場合は、インフラストラクチャモードでの無線接続状態を継続する。
【００４０】
続いて、デジタルカメラ２０３、２０４は、プリンタを指定して印刷要求の選択操作があったか否かを判定する（Ｓ４０５）。ここで、デジタルカメラ２０３からプリンタ２０５に対して印刷要求（５０４）を行ったと仮定する。デジタルカメラ２０３及びプリンタ２０５は、ＩＥＥＥ８０２．１１ｅ規格で規定されたＤＬＳにより、ＡＰ２０２の管理の下、１対１の無線アドホックネットワーク３０１を構築する（Ｓ４０６、５０５）。
【００４１】
続いて、デジタルカメラ２０３は、プリンタ２０５と無線アドホックネットワーク３０１の構築が成功したか否かを判定する（Ｓ４０７）。無線アドホックネットワーク３０１の構築が成功した場合、プリンタ２０５に対する印刷要求枚数及びプリンタ２０５を使用していることを通知するＢｕｓｙ信号を送信する（Ｓ４０８、５０６）。なお、Ｂｕｓｙ信号の送信先は、同一ＡＰ２０２による管理下の他の無線ＬＡＮ端末であり、ここでは、デジタルカメラ２０４、プリンタ２０６となる。一方、無線アドホックネットワーク３０１の構築が失敗した場合、Ｓ４０５において印刷要求の選択操作の有無を判定する。ここでは、ＡＰ２０２による管理下の他の無線ＬＡＮ端末は、デジタルカメラ２０４、プリンタ２０６となる。上記Ｂｕｓｙ信号の送信は、ブロードキャスト送信でもマルチキャスト送信でも良い。
【００４２】
デジタルカメラ２０３は、プリンタ２０５に対する印刷要求が１枚終了する毎に、デジタルカメラ２０４、プリンタ２０６に対して、残りの印刷枚数（進捗状況）及びプリンタ２０５を使用していることを通知するＢｕｓｙ信号を送信する（Ｓ４０９、５０７）。ここで、上記Ｂｕｓｙ信号の送信は、ブロードキャスト送信でもマルチキャスト送信でも良い。残り印刷枚数は、デジタルカメラ２０３がプリンタ２０５から今回のプリントサービスに係る経過情報を取得することにより判定できる。
【００４３】
続いて、デジタルカメラ２０３は、全ての印刷枚数を出力し終え、プリントサービスが終了したか否かを判定する（Ｓ４１０）。この判定は、デジタルカメラ２０３がプリンタ２０５から今回のプリントサービスに係る経過情報を取得することにより行われる。
【００４４】
デジタルカメラ２０３、プリンタ２０５間のプリントサービスが終了すると、デジタルカメラ２０３は、プリンタ２０５との無線アドホックネットワークを切断する（Ｓ４１１、５０８）。その後、デジタルカメラ２０３は、デジタルカメラ２０４、プリンタ２０６に対して、プリンタ２０５が使用可能である旨のＩｄｌｅ信号を送信する（Ｓ４１２、５０９）。ここで、上記Ｉｄｌｅ信号の送信は、ブロードキャスト送信でもマルチキャスト送信でも良い。一方、Ｓ４１０において、プリントサービスが終了していないと判定された場合、Ｓ４０９に戻り、デジタルカメラ２０４、プリンタ２０６に対して残りの印刷枚数及びプリンタ２０５を使用していることを通知するＢｕｓｙ信号を送信する。
【００４５】
なお、Ｓ４０５において、印刷要求の選択操作がないと判定された場合、処理はＳ４１３に移行する。この例では、Ｓ４１３以降の処理は、デジタルカメラ２０４が実行する処理となる。ここでは、以下に説明するように、プリンタ２０６もデジタルカメラ２０４と同様にプリントサービスの選択設定が可能な表示手段を有するのであれば、Ｓ４１３以降の処理は、プリンタ２０６でも実行可能である。
【００４６】
デジタルカメラ２０４は、待機状態（Idle状態）を維持しつつ(Ｓ４１３)、Ｓ４０８でデジタルカメラ２０３から送信されたＢｕｓｙ信号を受信したか否かを判定する（Ｓ４１４）。Ｂｕｓｙ信号を受信した場合、上記Ｂｕｓｙ信号を受信したデジタルカメラ２０４は、プリンタ２０５を選択不可能な表示状態とする（Ｓ４１５、５０７）。
【００４７】
続いて、デジタルカメラ２０４は、Ｂｕｓｙ信号又はＩｄｌｅ信号の受信を待つ（Ｓ４１６）。Ｓ４１２で送信されたＩｄｌｅ信号を受信した場合、デジタルカメラ２０４は、プリンタ２０５を再び選択可能な表示状態に変更する（Ｓ４１７、Ｓ４０４、５１０）。一方、Ｓ４０９で送信されたＢｕｓｙ信号を受信した場合、デジタルカメラ２０４は、図７の７０１に示すように、プリンタ２０５を利用したプリントサービスが残り何枚で終了するかを表示する（Ｓ４１５、５０８）。
【００４８】
以上説明を行ったように、本実施形態においては、２つの無線ＬＡＮ端末間でＤＬＳを用いたプリントサービスを行っている場合、同一のアクセスポイントの管理下にある他の無線ＬＡＮ端末は当該２つの無線ＬＡＮ端末にアクセスすることができなくなる。従って、本実施形態によれば、プリントサービスにおけるスループットを向上させることができる。
【００４９】
なお、本実施形態では、無線ＬＡＮ機能を搭載したデジタルカメラと無線ＬＡＮ機能を搭載したプリンタとの間で、ＰＴＰ／ＩＰを用いたプリントサービスを行う場合を説明した。但し、本発明は、ＰＴＰ／ＩＰ以外の通信プロトコルを用いたプリントサービスを行う場合にも適用できる。ＰＴＰ／ＩＰ以外の通信プロトコルには、例えば、ＦＴＰ（File Transfer Protocol）、ＨＴＴＰ（Hyper Text Transfer Protocol）がある。また、これらの通信プロトコルを用いてプリントサービス以外のサービスを提供すること可能である。プリントサービス以外のサービスには、例えば、画像ファイルを転送する画像転送サービスがある。
【００５０】
また、本実施形態においては、２つの無線ＬＡＮ端末間でＤＬＳを用いたプリントサービスを行う際に、同一のアクセスポイントの管理下にある他の無線ＬＡＮ端末にサービス開始を通知している。これにより、当該他の無線ＬＡＮ端末は当該２つの無線ＬＡＮ端末に対するアクセス要求をユーザから受け付けないようにすることができる。従って、プリントサービスにおけるスループットを向上させることができる。
【００５１】
［他の実施形態］
本発明の目的は、上記実施形態の機能を実現するプログラムコードを記録した記憶媒体をシステム或いは装置に供給し、そのシステム等のコンピュータが記憶媒体から上記プログラムコードを読み出し実行することによっても達成される。
【００５２】
この場合、記憶媒体から読み出された上記プログラムコード自体が上記実施形態の機能を実現することになり、上記プログラムコード自体及び上記プログラムコードを記憶した記憶媒体はいずれも本発明の一つである。
【００５３】
上記プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５４】
また、コンピュータが上記プログラムコードの指示に基づき、コンピュータ上で稼動しているＯＳ等が実際の処理の一部又は全部を行い、その処理によって上記実施形態の機能が実現される場合も含まれる。
【００５５】
さらに、記憶媒体から読み出された上記プログラムコードが、コンピュータに接続された機能拡張ユニット等に備わるメモリに書き込まれた後、上記プログラムコードの指示に基づきＣＰＵ等が実際の処理を行い、上記実施形態の機能が実現される場合も含まれる。
【図面の簡単な説明】
【００５６】
【図１】本発明の一実施形態に係る無線通信システムの構成の一例を概略的に示す図である。
【図２】デジタルカメラの機能構成を示すブロック図である。
【図３】ＩＥＥＥ８０２．１１ｅ規格で規定されたＤＬＳを使用したネットワーク構成の一例を示す図である
【図４】本発明の一実施形態におけるデジタルカメラの処理手順を示す図である。
【図５】本発明の一実施形態における無線通信システム全体の処理手順処理手順を示す図である。
【図６】本発明の一実施形態におけるデジタルカメラの表示手段上での表示構成例を示す図である。
【図７】本発明の一実施形態におけるデジタルカメラの表示手段上での表示構成例を示す図である。
【符号の説明】
【００５７】
２０１  ネットワーク
２０２  無線アクセスポイント装置
２０３、２０４  デジタルカメラ
２０５、２０６  プリンタ
３０１  無線アドホックネットワーク
【図１】
2008160186.tif 000003
【図２】
2008160186.tif 000004
【図３】
2008160186.tif 000005
【図４】
2008160186.tif 000006
【図５】
2008160186.tif 000007
【図６】
2008160186.tif 000008
【図７】
2008160186.tif 000009